(57)【要約】【課題】補強ブレースの下端側の接合部に面外倒れが生じることを抑止できる吊り天井の補強ブレース接続用金具を提供する。【解決手段】水平の一方向Ｔ１に延設される主鋼材１及び他方向Ｔ２に延設される連結鋼材５を格子状に組み付けてなる天井下地６に補強ブレース７の下端側を接続するための吊り天井の補強ブレース接続用金具１５であって、略直交配置された一側壁板部１７と他側壁板部１６とを備えて略Ｌ字状に形成された４つの補強ブレース接続用金具片１８を備える。また、主鋼材１と連結鋼材５が十字状に配されてなる４つの入隅部２０にそれぞれ、一側壁板部１７を主鋼材１に、他側壁板部１６を連結鋼材５に接続して補強ブレース接続用金具片１８を設置するとともに、一側壁板部１７と主鋼材１に、及び／又は他側壁板部６と連結鋼材５に補強ブレース７の下端側を接続するように構成する。【選択図】図１
2016056662.tif 000002
【特許請求の範囲】
【請求項１】
水平の一方向に延設される主鋼材及び他方向に延設される連結鋼材を格子状に組み付けてなる天井下地に補強ブレースの下端側を接続するための吊り天井の補強ブレース接続用金具であって、
略直交配置された一側壁板部と他側壁板部とを備えて略Ｌ字状に形成された４つの補強ブレース接続用金具片を備え、
前記主鋼材と前記連結鋼材が十字状に配されてなる４つの入隅部にそれぞれ、前記一側壁板部を前記主鋼材に、前記他側壁板部を前記連結鋼材に接続して前記補強ブレース接続用金具片を設置するとともに、前記一側壁板部と前記主鋼材に、及び／又は前記他側壁板部と前記連結鋼材に前記補強ブレースの下端側を接続するように構成されていることを特徴とする吊り天井の補強ブレース接続用金具。
【発明の詳細な説明】
【技術分野】
【０００１】
本発明は、吊り天井の補強ブレースを天井下地に接続するための金具に関する。
【背景技術】
【０００２】
従来、例えば学校、病院、生産施設、体育館、プール、空港ターミナルビル、オフィスビル、劇場、シネコン等の建物の天井として、吊り天井が多用されている（例えば、特許文献１、特許文献２参照）。そして、吊り天井（吊り天井構造）Ａには、例えば図６に示すように、水平の一方向Ｔ１に延設された複数のＴバー（断面逆Ｔ型の支持部材）１と、上端側を上階の床材（上部構造）等に固着し、下端側をＴバー１に接続して配設された複数の吊りボルト（吊り部材）２と、隣り合うＴバー１に架け渡すように配設されて天井面（天井部３）を形成する天井パネル４とを備えて構成したものがある。
【０００３】
また、例えば図７に示すように、複数のＴバー（断面逆Ｔ型の支持部材）１と、上端を上部構造に固着し、下端側をＴバー１に接続して配設された複数の吊り部材２と、隣り合うＴバー１に架け渡すように水平の一方向Ｔ１に直交する他方向Ｔ２に延設されるとともに一方向Ｔ１に所定の間隔をあけて配設された断面逆Ｔ型の連結Ｔバー（Ｔバー）５と、Ｔバー１と連結Ｔバー５からなる格子状の天井下地６にビス留めして一体に取り付けられて天井面（天井部３）を形成する天井パネル４とを備えて構成した吊り天井Ａが用いられている。
【０００４】
一方、上記の吊り天井Ａにおいては、その構造上、地震時に作用する水平力によって横揺れしやすく、この横揺れにより、天井部３の端部が壁や柱、梁などの建物構成部材に衝突し、天井パネル４に破損が生じたり、脱落が生じるおそれがあった。このため、従来、図６、図７に示すように、上部構造などに上端側を接続し、下端側を吊りボルト２や、Ｔバー１、連結Ｔバー５などからなる天井下地６に接続して補強ブレース７を設け、天井下地６及び天井パネル４からなる天井部３の地震時の横揺れを抑えるようにしている。
【先行技術文献】
【特許文献】
【０００５】
【特許文献１】特開２００３−１３５４０号公報
【特許文献２】特開２００３−１３８６８９号公報
【発明の概要】
【発明が解決しようとする課題】
【０００６】
しかしながら、上記従来の吊り天井構造Ａにおいては、図８に示すように、地震時に外力が作用し、補強ブレース７に軸力が作用するとともに補強ブレース７の下端側の接合部Ｓ（補強ブレース接続用金具１０）に集中応力が作用し、この接合部Ｓに微小に面外倒れの変形が生じるケースがあった。
【０００７】
そして、このように接合部Ｓに面外倒れの変形が生じると、終局ではＴバー１（５）の引き抜け（すなわち、Ｔバー１（５）に天井パネル４を固着するビスの引き抜け）が生じて天井パネル４の落下を招くおそれもある。
【０００８】
本発明は、上記事情に鑑み、補強ブレースの下端側の接合部に面外倒れが生じることを抑止できる吊り天井の補強ブレース接続用金具を提供することを目的とする。
【課題を解決するための手段】
【０００９】
上記の目的を達するために、この発明は以下の手段を提供している。
【００１０】
本発明の吊り天井の補強ブレース接続用金具は、水平の一方向に延設される主鋼材及び他方向に延設される連結鋼材を格子状に組み付けてなる天井下地に補強ブレースの下端側を接続するための吊り天井の補強ブレース接続用金具であって、略直交配置された一側壁板部と他側壁板部とを備えて略Ｌ字状に形成された４つの補強ブレース接続用金具片を備え、前記主鋼材と前記連結鋼材が十字状に配されてなる４つの入隅部にそれぞれ、前記一側壁板部を前記主鋼材に、前記他側壁板部を前記連結鋼材に接続して前記補強ブレース接続用金具片を設置するとともに、前記一側壁板部と前記主鋼材に、及び／又は前記他側壁板部と前記連結鋼材に前記補強ブレースの下端側を接続するように構成されていることを特徴とする吊り天井の補強ブレース接続用金具。
【発明の効果】
【００１１】
本発明の吊り天井補強用金具においては、主鋼材と連結鋼材が十字状に配されてなる４つの入隅部にそれぞれ略Ｌ字状の補強ブレース接続用金具片を設置し、略十字状を呈するように補強ブレース接続用金具が設置される。このため、補強ブレース接続用金具片の一側壁板部と主鋼材に下端側を接続した補強ブレースに軸力が作用して、補強ブレースの下端側の接合部に面外倒れを生じさせる力が作用した場合であっても、この面外倒れを生じさせる力を各補強ブレース接続用金具片の他側壁板部で受けることができる。
【００１２】
これにより、地震時に補強ブレースに軸力が作用し、補強ブレースの下端側の接合部に集中応力が作用した場合であっても、この接合部に微小に面外倒れの変形が生じることを防止できる。
【００１３】
よって、補強ブレースの下端側の接合部に面外倒れの変形が生じて、主鋼材（Ｔバー）に引き抜け、すなわち、主鋼材に天井パネルを固着するビスの引き抜けが生じて天井パネルの落下を招くおそれを確実に解消することが可能になる。
【図面の簡単な説明】
【００１４】
【図１】本発明の一実施形態に係る吊り天井の補強ブレース接続用金具を用いて補強ブレースの下端側を接続した接合部を示す斜視図である。
【図２】本発明の一実施形態に係る吊り天井の補強ブレース接続用金具を用いて補強ブレースの下端側を接続した接合部を示す平面図である。
【図３】本発明の一実施形態に係る吊り天井の補強ブレース接続用金具を示す平面図である。
【図４】図３のＸ１−Ｘ１線矢視図であり、本発明の一実施形態に係る吊り天井の補強ブレース接続用金具を示す側面図である。
【図５】図３のＸ２−Ｘ２線矢視図であり、本発明の一実施形態に係る吊り天井の補強ブレース接続用金具を示す側面図である。
【図６】従来の吊り天井構造を示す天井裏側からの斜視図である。
【図７】従来の吊り天井構造を示す天井裏側からの斜視図である。
【図８】従来の補強ブレースの下端側接合部を示す斜視図である。
【発明を実施するための形態】
【００１５】
以下、図１から図５、図７を参照し、本発明の一実施形態に係る吊り天井の補強ブレース接続用金具について説明する。
【００１６】
はじめに、本実施形態の吊り天井構造（吊り天井）Ａは、図１、図２（図７参照）に示すように、水平の一方向Ｔ１に延設され、一方向Ｔ１に直交する他方向Ｔ２に所定の間隔をあけて配設される複数のＴバー（断面逆Ｔ型の主鋼材）１と、上端を上部構造に固着し、下端側をＴバー１に接続して配設された複数の吊りボルト２と、他方向Ｔ２に延び、隣り合うＴバー１に架け渡して連結し、一方向Ｔ１に所定の間隔をあけて配設される複数の断面逆Ｔ型の連結Ｔバー（連結鋼材）５と、天井下地６にビス留めして一体に取り付けられて天井面（天井部３）を形成する天井パネル４とを備えて構成されている。
【００１７】
また、Ｔバー１と連結Ｔバー５、すなわち、格子状に組み付けられた鋼材によって天井下地６が構成されている。
【００１８】
さらに、補強ブレース７は、補強ブレース接続用金具１５を用いて、天井下地６に接続して設けられている。このとき、本実施形態では、一方向Ｔ１に一対の補強ブレース７がＶ型を呈するように並設されている。
【００１９】
また、吊りボルト２は、吊り部材接続用金具１１を介して天井下地６のＴバー１に下端側を接続して設けられ、天井下地６を吊り下げ支持している。
【００２０】
さらに、天井下地６の下面に、例えば直貼岩綿吸音板のような軽量の天井パネル４が、ビス８を下側からこの天井パネル４、天井下地６に貫通させて固設されている。このように複数の天井パネル４を天井下地６に取り付けることで天井面が形成されている。
【００２１】
そして、上記のような補強ブレース接続用金具１５を用いて補強ブレース７が天井下地６に固着され、さらに吊り部材接続用金具１１を用いて吊りボルト２が天井下地６に固着されているため、地震が発生した際に、天井慣性力（水平力）が天井下地６を通じて補強ブレース７に伝達されることになる。
【００２２】
一方、本実施形態の吊り天井の補強ブレース接続用金具１５は、図１から図５に示すように、略直交配置された一側壁板部１７と他側壁板部１６とを備えて略Ｌ字状に形成された４つの補強ブレース接続用金具片１８から構成されている。
【００２３】
また、本実施形態の補強ブレース接続用金具片１８は、一側壁板部１７と他側壁板部１６の接続部分に、一側壁板部１７に直交して他側壁板部１６に沿って延び、さらに直交して延びて他側壁板部１６に繋がる出隅部１９を備えて略Ｌ字状に形成されている。
【００２４】
そして、Ｔバー１と連結バー５が十字状に配されてなる４つの入隅部２０にそれぞれ、一側壁板部１７をＴバー１に、他側壁板部１６を連結バー５にビス止めするなどして接続して補強ブレース接続用金具片１８を設置する。また、このとき、互いに隣設する補強ブレース接続用金具片１８の一側壁板部１７同士の間、他側壁板部１６同士の間にスペーサ２１が介設される。これにより、略十字状を呈するように補強ブレース接続用金具１５が設置される。
なお、スペーサ２１は補強ブレース接続用金具片１８の一側壁板部１７及び／又は他側壁板部１６に予め一体に設けられていてもよい。
【００２５】
また、本実施形態では、このように４つの補強ブレース接続用金具片１８を設置すると、各補強ブレース接続用金具片１８の一側壁板部１７と他側壁板部１６の接続部分に形成された出隅部１９によってＴバー１と連結バー５の十字状の交差部を囲繞する連通空間が形成される。
【００２６】
これにより、本実施形態では、この連通空間を通じて、吊りボルト２を接続するための吊り部材接続用金具１１の下端側をＴバー１に接続し、連通空間から上方に突出した吊り部材接続用金具１１の上端側に吊りボルト２の下端部を接続することができる。
【００２７】
一方、このように補強ブレース接続用金具片１８を設置するとともに、一側壁板部１７とＴバー１に補強ブレース７の下端側を接続する。
なお、補強ブレース接続用金具片１８の他側壁板部１６と連結バー５に補強ブレース７の下端側を接続してもよい。
【００２８】
そして、上記のように構成した本実施形態の吊り天井の補強ブレース接続用金具１５及びこれを備えた吊り天井構造Ａにおいては、Ｔバー１と連結バー５が十字状に配されてなる４つの入隅部２０にそれぞれ略Ｌ字状の補強ブレース接続用金具片１８を設置し、略十字状を呈するように補強ブレース接続用金具１５が設置されている。
【００２９】
このため、地震が発生し、補強ブレース７に軸力が作用して補強ブレース７の下端側を接続した各補強ブレース接続用金具片１８の一側壁板部１７に面外倒れを生じさせる力が作用した場合であっても、この面外倒れを生じさせる力が各補強ブレース接続用金具片１８の他側壁板部１６で受け止められる。
【００３０】
これにより、従来のように地震時に補強ブレース７に軸力が作用し、補強ブレース７の下端側の接合部Ｓに集中応力が作用した場合であっても、この接合部Ｓに微小に面外倒れの変形が生じることがない。
【００３１】
したがって、本実施形態の吊り天井の補強ブレース接続用金具１５及び吊り天井構造Ａにおいては、補強ブレース接続用金具片１８の一側壁板部１７とＴバー１に下端側を接続した補強ブレース７に軸力が作用して、補強ブレース７の下端側の接合部Ａに面外倒れを生じさせる力が作用した場合であっても、この面外倒れを生じさせる力を各補強ブレース接続用金具片１８の他側壁板部１６で受けることができる。
【００３２】
これにより、地震時に補強ブレース７に軸力が作用し、補強ブレース７の下端側の接合部Ｓに集中応力が作用した場合であっても、この接合部Ｓに微小に面外倒れの変形が生じることを防止できる。
【００３３】
よって、補強ブレース７の下端側の接合部Ｓに面外倒れの変形が生じて、Ｔバー１に引き抜け、すなわち、Ｔバー１に天井パネル４を固着するビスの引き抜けが生じて天井パネル４の落下を招くおそれを確実に解消することが可能になる。
【００３４】
以上、本発明に係る吊り天井の補強ブレース接続用金具の一実施形態について説明したが、本発明は上記の一実施形態に限定されるものではなく、その趣旨を逸脱しない範囲で適宜変更可能である。
【００３５】
例えば、本実施形態では、補強ブレース接続用金具１５を用いてＶ型を呈するように一方向Ｔ１に並設された一対の補強ブレース７を天井下地に接続するように図示、説明を行った。
これに対し、レ型を呈するように配設された１本の補強ブレース７を接続する場合、また、一方向Ｔ１及び他方向Ｔ２にそれぞれ一対の補強ブレース７を並設し、平面視で十字状を呈するように配設した４本の補強ブレース７を接続する場合においても、勿論、補強ブレース接続用金具１５を用いることができる。そして、これらの場合においても、本実施形態と同様に面外変形を抑えることが可能である。
【符号の説明】
【００３６】
１      Ｔバー（主鋼材）
２      吊りボルト（吊り部材）
３      天井部
４      天井パネル
５      連結Ｔバー（連結鋼材）
６      天井下地
７      補強ブレース
１０    従来の補強ブレース接続用金具
１１    吊り部材接続用金具
１５    補強ブレース接続用金具
１６    他側壁板部
１７    一側壁板部
１８    補強ブレース接続用金具片
１９    出隅部
２０    入隅部
２１    スペーサ
Ａ      従来の吊り天井構造
Ｓ      補強ブレースの下端側の接合部
Ｔ１    一方向
Ｔ２    他方向
Ｔ３    上下方向
【図１】
2016056662.tif 000003
【図２】
2016056662.tif 000004
【図３】
2016056662.tif 000005
【図４】
2016056662.tif 000006
【図５】
2016056662.tif 000007
【図６】
2016056662.tif 000008
【図７】
2016056662.tif 000009
【図８】
2016056662.tif 000010